(57)【要約】【課題】深さの大きく異なる食器類を容易にセットできる食器収納用カゴを提供する。【解決手段】凹状の溝部１６を複数上面に有する略棒状の第１の支持部２０と、第１の支持部２０と略並行に配されると共に、上方に突出し食器類の壁面を支える第２の突起部１７を複数有する略棒状の第２の支持部２１とを備え、第１の支持部２０の壁面に上方に突出し食器類を支持する第１の突起部１８を複数設けたもので、食器類（図示せず）の内側下端を溝部１６で、外周側上方壁面を点接触で第２の突起部１７の先端で支え、また食器類の内周側下端を前方の第１の突起部１８の根元で支持し、外周側上方壁面を後方の第１の突起部１８の先端で点接触で支えることもできるので、溝部１６と第２の突起部１７のピッチを深さの浅い皿類がセットできるピッチにし、第１の突起部１８間のピッチを、深い食器類をセットできるピッチにすれば、深さの異なる食器類を容易にセットできる。【選択図】図２
2007136016.tif 000002
【特許請求の範囲】
【請求項１】
食器類の下端を支持する凹状の溝部を複数上面に有する略棒状の第１の支持部と、前記第１の支持部と略並行に配されると共に、上方に突出し前記食器類の壁面を支える第２の突起部を複数有する略棒状の第２の支持部とを備え、前記第１の支持部の壁面に、上方に突出し前記食器類を支持する第１の突起部を複数設けた食器収納用カゴ。
【請求項２】
第１の支持部の第１の突起部を、溝部の底面以外の部分に設けた請求項１に記載の食器収納用カゴ。
【発明の詳細な説明】
【技術分野】
【０００１】
本発明は、食器類に洗浄水を噴射して洗浄する食器洗い機等に用いられる食器収納用カゴに関するものである。
【背景技術】
【０００２】
従来の、一般的な食器収納用カゴ及びそれを備えた食器洗い機について、図４〜６を用いて説明する。
【０００３】
図４に示すように、この種の食器洗い機は、前面に開口部１ａを有する洗浄槽１と、開口部１ａを開閉する扉２と、洗浄槽１の底部中央に回転自在に設けられ洗浄水を噴射するノズル３と、洗浄槽１内に配され棒状の線材からなる食器収容用の上段カゴ４と下段カゴ５とを設けて構成されている。扉２を開けているときには、下段カゴ５は、扉２と洗浄槽１との間を前後方向に引き出し移動可能である。上段カゴ４は、洗浄槽１内の壁面に前後方向に移動可能に設けられたレール部６によって、支持されている。
【０００４】
また、下段カゴ５上の中央付近には、スプーン、フォーク等のカトラリーの小物類１１がセットされる小物入れ７が固定されている。また、洗浄槽１の底部には、洗浄水をお湯にするときなどに使用されるヒータ８が、洗浄槽１の下部の外側には、洗浄ポンプ９がそれぞれ設けられている。洗浄槽１内の下部には排水口１２が設けられている。
【０００５】
また、図５は、上段カゴ４の食器類１０をセットするセット部４ａの拡大斜視図である。セット部４ａは、前後方向に長い線材１３と、同じく線材からなり、線材１３に下端が固着された上下方向に長い突起部１４の列で構成され、左右に２列設けた構成となっている。また、左右の突起部１４は扇状に広がっている。
【０００６】
食器類１０の支持は、突起部１４の下部で、食器類１０の下方の端部を支持し、突起部１４の上部で、食器類１０の上方の壁面を支えるようになっている。
【０００７】
図６は、上段カゴ４のセット部４ａに深さの異なる食器類１０をセットするときの状態を示す図である（例えば、特許文献１参照）。
【０００８】
ここで食器洗い機の動作について説明する。先ず、扉２を開いて扉２上に下段カゴ５を引き出して食器類１０と小物入れ７に小物類１１をセットする動作と、上段カゴ４を前方に引き出して食器類１０をセットする動作を行う。そして、食器洗い機の運転を開始すると洗浄槽１内の洗浄水がヒータ８によって温水化され、洗浄ポンプ９にて洗浄槽１内の排水口１２から吸い込まれ、ノズル３に圧送され、ノズル３より洗浄水が勢いよく噴射される。なお、ノズル３は回転しながら、洗浄水を噴射する。このようにして上段カゴ４と下段カゴ５にセットされた食器類１０、小物入れ７にセットされた小物類１１が洗浄されるものである。
【特許文献１】特開２００４−３２１２８３号公報
【発明の開示】
【発明が解決しようとする課題】
【０００９】
しかしながら、上記従来の食器収納用カゴには、以下のような課題があった。
【００１０】
従来の上段カゴ４では、食器類１０をセットする際に、上下方向に長い左右の突起部１４を扇状に広げて支持していた。また、少しでも、食器類１０を多くセットするために、突起部１４のピッチは、セットする食器類１０の深さに合わされていた。
【００１１】
そのため、深さの大きく違う食器類１０は、同じ突起部１４でセットできなかった。例えば、深さの大きく違う、皿類と丼などの碗類などである。一般に良く用いられる皿類の深さは約３０ｍｍであり、丼などの碗類の深さは約８０ｍｍである。
【００１２】
そのため、図６（ｂ）に示すように、皿類の深さに突起部１４のピッチを合わせると、丼などの碗類が隣り合う突起部１４と突起部１４との間に入らず、セットできない。逆に、丼などの碗類の深さに突起部１４のピッチを合わせると皿類が後方に倒れ上手くセットできないという課題が生じる。
【００１３】
また、上下方向に長い左右の突起部１４を扇状に広げているため、突起部１４が横方向に広がり、ノズル側から見て、食器類１４と突起部１４の位置が重なる範囲が増え、上段カゴ４の下方のノズル３から噴出される洗浄水を、突起部１４がブロックし易くなり、洗浄性能が著しく低下するという課題があった。
【００１４】
本発明は、上記従来の課題を解決するもので、洗浄性能を低下させず、深さの大きく違う食器類、皿類も、丼などの碗類も同じ突起部でセットできる食器収納用カゴを提供することを目的としている。
【課題を解決するための手段】
【００１５】
上記従来の課題を解決するために、本発明の食器収納用カゴは、食器類の下端を支持する凹状の溝部を複数上面に有する略棒状の第１の支持部と、前記第１の支持部と略並行に配されると共に、上方に突出し前記食器類の壁面を支える第２の突起部を複数有する略棒状の第２の支持部とを備え、前記第１の支持部の壁面に、上方に突出し前記食器類を支持する第１の突起部を複数設けたもので、第１の支持部の溝部が食器類の内周側の下方の端部を支持し、第２の支持部の第２の突起部の先端で、点接触で食器類の外周側の上方の壁面を支えて、食器類のセットができる。また、第１の支持部の壁面に設けた前後の第１の突起部でも、前方の第１の突起部の根元で食器類の内周側の下方の端部を支持し、後方の第１の突起部の先端で、点接触で食器類の外周側の上方の壁面を支えることにより食器類をセットすることもできる。よって、第１の支持部の溝部と第２の突起部のピッチを深さの浅い皿類などをセットできるピッチにし、第１の支持部の壁面に設けた第１の突起部のピッチを、丼などの碗類の深さの深い食器類をセットできるピッチにすれば、深さの浅い食器類も深い食器類もセットできるものである。また、第１、２の支持部上の溝部、第１、第２の突起部の列は隙間があり、食器類と第１、第２の突起部とは点接触しているので、従来の棒状の線材カゴで見られる突起部が扇状に広がることにより、ノズル側から見て食器類と突起部の位置が重なる範囲が増え、カゴの下方のノズルから噴出される洗浄水が突起部でブロックされて、洗浄性能が低下するようなことも無い。よって、洗浄性能を低下させず、深さの大きく異なる食器類、皿類、丼などの碗類も同じ第１、第２の突起部で容易にセットできる食器収納用カゴを提供することができるものである。
【発明の効果】
【００１６】
本発明の食器収納用カゴは、簡単な構成で、洗浄性能を低下させることなく、深さの大きく異なる皿類、丼などの碗類といった食器類を同じ突起部で容易にセットすることができる。
【発明を実施するための最良の形態】
【００１７】
第１の発明は、食器類の下端を支持する凹状の溝部を複数上面に有する略棒状の第１の支持部と、前記第１の支持部と略並行に配されると共に、上方に突出し前記食器類の壁面を支える第２の突起部を複数有する略棒状の第２の支持部とを備え、前記第１の支持部の壁面に、上方に突出し前記食器類を支持する第１の突起部を複数設けたもので、第１の支持部の溝部が食器類の内周側の下方の端部を支持し、第２の支持部の第２の突起部の先端で、点接触で食器類の外周側の上方の壁面を支えて、食器類のセットができる。また、第１の支持部の壁面に設けた前後の第１の突起部でも、前方の第１の突起部の根元で食器類の内周側の下方の端部を支持し、後方の第１の突起部の先端で、点接触で食器類の外周側の上方の壁面を支えることにより食器類をセットすることもできる。よって、第１の支持部の溝部と第２の突起部のピッチを深さの浅い皿類などをセットできるピッチにし、第１の支持部の壁面に設けた第１の突起部のピッチを、丼などの碗類の深さの深い食器類をセットできるピッチにすれば、深さの浅い食器類も深い食器類もセットできるものである。また、第１、２の支持部上の溝部、第１、第２の突起部の列は隙間があり、食器類と第１、第２の突起部とは点接触しているので、従来の棒状の線材カゴで見られる突起部が扇状に広がることにより、ノズル側から見て食器類と突起部の位置が重なる範囲が増え、カゴの下方のノズルから噴出される洗浄水が突起部でブロックされて、洗浄性能が低下するようなことも無い。よって、洗浄性能を低下させず、深さの大きく異なる食器類、皿類、丼などの碗類も同じ第１、第２の突起部で容易にセットできる食器収納用カゴを提供することができるものである。
【００１８】
第２の発明は、特に、第１の発明の第１の支持部の第１の突起部を、溝部の底面以外の部分に設けたもので、例えば、第１の突起部を溝部の上面に設ければ、第１の支持部の第１の突起部の根元の位置が、溝部の底面より上になるので、丼などの碗類のセット位置が皿類のセット位置より高くなる。よって、丼などの碗類をセットする際、食器類の外周側の下部が第２の突起部の先端と干渉し、セットし難いという問題も起こり難くなる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における食器収納用カゴを配した食器洗い機の側断面図、図２は、同食器収納用カゴの要部斜視図、図３は、同食器収納用カゴに皿類、丼をセットした時の状態を示す図である。なお、上記従来例と同一部分については同一符号を付してその説明を省略する。
【００２１】
本実施の形態における食器収納用カゴである上段カゴ１５は、図２に示すように、略平行に２列設けた棒状の第１の支持部２０と、それぞれの第１の支持部２０の外側に第１の支持部２０と略並行に設けられた棒状の第２の支持部２１を備えている。第１の支持部２０は、食器類１０の端部を支持する凹状の複数の溝部１６と、溝部１６の上方の壁面に設けられ食器類１０を支持する上方向に突出する複数の第１の突起部１８を備え、第２の支持部２１は、下端が溝部１６で支持された食器類１０の他方の壁面を支える上方向に突出する複数の第２の突起部１７を備えている。
【００２２】
なお、第１の支持部２０の凹状の溝部１６と第２の支持部２１の第２の突起部１７のピッチは皿類が上手くセットできるピッチにし、第１の支持部２０の凹状の溝部１６の上方の壁面に突出させて設けた複数の第１の突起部１８の間隔を、第１の支持部２０の凹状の溝部１６の一つ置きにしている。
【００２３】
以上のように構成された食器収納用の上段カゴ１５の動作を、図３を用いて説明する。
【００２４】
皿類など浅い食器類１０をセットする場合は、図３（ａ）に示すように、第１の支持部２０の溝部１６が食器類１０の内周側の下方の端部を支持し、上方向に突出する第２の突起部１７の先端で、点接触で食器類１０の外周側の上方の壁面を支えることにより、皿類などの食器類１０のセットができるものである。
【００２５】
丼などの碗類の食器類１０をセットする場合は、図３（ｂ）に示すように、第１の支持部２０の溝部１６の上方の壁面に設けた前後の第１の突起部１８で支持する。つまり前方の第１の突起部１８の根元で食器類の１０の内周側の下方の端部を支持し、後方の第１の突起部１８の先端で、点接触で食器類１０の外周側の上方の壁面を支えることにより、丼など深い碗類の食器類１０を確実にセットできるものである。
【００２６】
以上のように、本実施の形態によれば、深さが大きく異なる食器類、皿類、丼などの碗類も同じ第２、第１の突起部１７、１８でセットできる食器収納用カゴを提供することができる。
【００２７】
また、第１、２の支持部２０、２１に設けた溝部１６、第１、第２突起部１８、１７の列に隙間があり、食器類１０と第１、第２の突起部１８、１７とは点接触しているので、従来の、扇状に広げられた突起部１４により、ノズル３側から見て、食器類１０と突起部１４の位置が重なる範囲が増え、上段カゴ４の下面のノズル３から噴出される洗浄水が突起部１４でブロックされ、洗浄性能が低下するという問題も生じないものである。
【００２８】
また、第１の支持部２０の第１の突起部１８の根元が、凹状の溝部１６の底面より上に位置しているので、丼などの碗類のセット位置が皿類のセット位置より高くなる。よって、丼などの碗類をセットする際、食器類１０の外周側の下部が第２の支持部２１の第２の突起部１７の先端と干渉し、セットし難いという問題も起こり難くなる。なお、第１の支持部２０の第１の突起部１８は、凹状の溝部１６の斜辺に設けるより上面に設ける方がセット位置が高くなるので良い。
【００２９】
また、一般的に良く用いられる皿類の深さは約３０ｍｍであり、丼などの碗類の深さは約８０ｍｍで、深さの差は約２．５倍である。それ故、第１の支持部２０の第１の突起部１８間の間隔を、溝部１６の一つ置き、二つ置きにすると、一般的に用いられている丼などの碗類のセットに適した間隔になる。
【００３０】
なお、本実施の形態では、第１、第２の支持部２０、２１を、上段カゴ１５に設けたが、勿論下段カゴ５に設けても、上段カゴ１５と同等の効果が得られるものである。
【００３１】
以上のように本実施の形態によれば、洗浄性能を低下させることなく、深さの大きく異なる食器類、皿類、丼などの碗類も同じ突起部でセットできる食器収納用カゴを提供できるものである。
【産業上の利用可能性】
【００３２】
以上のように、本発明に係る食器収容用カゴは、簡単な構成で深さの異なる食器類を容易にセットできるもので、家庭用、業務用の食器洗い機に広く適用できるものである。
【図面の簡単な説明】
【００３３】
【図１】本発明の実施の形態１における食器収納用カゴを配した食器洗い機の側断面図
【図２】同食器収納用カゴの要部斜視図
【図３】（ａ）同食器収納用カゴに皿類をセットした時の状態を示す図（ｂ）同食器収納用カゴに丼をセットした時の状態を示す図
【図４】従来の食器収納用カゴを配した食器洗い機の側断面図
【図５】同食器収納用カゴの食器類のセット部の拡大斜視図
【図６】（ａ）〜（ｃ）食器収納用カゴに食器類をセットするときの状態を示す図
【符号の説明】
【００３４】
５  下段カゴ（食器収納用カゴ）
１０  食器類
１５  上段カゴ（食器収納用カゴ）
１６  溝部
１７  第２の突起部
１８  第１の突起部
２０  第１の支持部
２１  第２の支持部
【図１】
2007136016.tif 000003
【図２】
2007136016.tif 000004
【図３】
2007136016.tif 000005
【図４】
2007136016.tif 000006
【図５】
2007136016.tif 000007
【図６】
2007136016.tif 000008